(57)【要約】      コンパートメントへの、とりわけ自動車庫コンパートメントへの出入り用開口の制御のためのセクション式ドア（１）が、―コンパートメントへの出入り用開口のそれぞれのショルダに実質的に平行の方向に延在するのに適している２対の垂直案内（５、６）を含む固定部；ならびに、移動可能な部分であって：リーフの幅全体の上に延在し、かつそれぞれの側面案内（５、６）に沿って摺動係合するそれの横方向側面を有する実質的に長方形の形の、下部パネル（７）および上部周囲パネル（８）を備えるリーフ；各々が、それぞれの対の垂直案内（５、６）の頂部に対応して連接されるそれの一端および上部パネル（８）のそれぞれの横方向側面の中間ゾーン（８ｃ）に対応して枢支されるそれの他端を有する一対の側面支持アーム（１１）；を含む移動可能な部分、ならびに、上部パネル（８）の横方向側面に対応して設けられる一対の横方向摺動案内（１０）、および、各々、上部パネル（８）のそれぞれの横方向摺動案内（１０）と摺動係合するそれの一端（１５）および下部パネル（７）に頂部で連接されるそれの第２の端部（１４）有する一対の接続レバー（１３）を含む下部パネル（７）と上部パネル（８）との間に連接されて摺動可能な接続手段（１２）を備え、それによって、それらが垂直案内（５、６）の対に沿って順に重ねて実質的に位置合わせされた順序で配置される出入り用開口の完全に閉じられた位置と上部パネル（８）が、側面支持アーム（１１）の対で支えられる、垂直案内（５、６）の対の頂部に対応したゾーンから始まるコンパートメント内に突き出すように張出して動かされ、ならびに、下部パネル（７）が上部パネル（８）と共におよびそれに対向して動かされる完全に開いた位置との間で、下部パネル（７）および上部パネル（８）が移動可能である。【選択図】  図１
2014510208.tif 000002
【特許請求の範囲】
【請求項１】
コンパートメントへの、特に自動車庫コンパートメントへの、出入り用開口の制御のためのセクション式ドア（１）であって：
―コンパートメントへの前記出入り用開口のそれぞれのショルダに実質的に平行の方向に延在するのに適している２対の垂直案内（５、６）を含む固定部；ならびに、
―移動可能な部分であって：
―リーフの幅全体の上に延在し、かつそれぞれの側面案内（５、６）に沿って摺動係合するそれの横方向側面を有する実質的に長方形の形の下部パネル（７）および上部パネル（８）を備える前記リーフ；ならびに、
―各々が、垂直案内（５、６）のそれぞれの対の頂部に対応して連接されるそれの一端および前記上部パネル（８）のそれぞれの横方向側面の中間ゾーン（８ｃ）に対応して枢支されるそれの他端を有する一対の側面支持アーム（１１）；を含む移動可能な部分を備え、
前記移動可能な部分がさらに：
―前記上部パネル（８）の前記横方向側面に対応して設けられる一対の横方向摺動案内（１０）、および、各々、前記上部パネル（８）のそれぞれの横方向摺動案内（１０）と摺動係合するそれの一端（１５）および前記下部パネル（７）に頂部で連接されるそれの第２の端部（１４）、を有する一対の接続レバー（１３）を含む、前記下部パネル（７）と前記上部パネル（８）との間の、連接されてかつ摺動可能な接続手段（１２）を備え、
それによって、前記下部パネル（７）および上部パネル（８）が、それらが前記垂直案内（５、６）の対に沿って順に重ねて実質的に位置合わせされた順序で配置される前記出入り用開口の完全に閉じられた位置と、前記上部パネル（８）が、前記側面支持アーム（１１）の対で支えられる前記垂直案内（５、６）の対の頂部に対応したゾーンから始まる前記コンパートメント内に突き出すように張出して動かされ、ならびに、前記下部パネル（７）が前記上部パネル（８）と共におよびそれに対向して動かされる完全に開いた位置との間を移動可能であることを特徴とするドア。
【請求項２】
前記接続レバー（１３）の前記第１の端部（１５）が、前記上部パネル（８）の前記側面摺動案内（１０）内に得られる摺動シート（１７）内に摺動することを特徴とする請求項１に記載のドア（１）。
【請求項３】
前記接続レバー（１３）の前記第１の端部（１５）が、前記摺動シート（１７）に沿って摺動して取り付けられる摺動ブロックまたはアイドルローラ（１６）を有することを特徴とする請求項２に記載のドア（１）。
【請求項４】
前記接続レバー（１３）が、弾力のある荷重手段（１８）を備えることを特徴とする請求項１から３のうち一項以上に記載のドア（１）。
【請求項５】
前記固定部が、各々、それぞれの対の垂直案内（５、６）を有していてかつ、それぞれ前記コンパートメントへの前記出入り用開口の、前記ショルダおよびリンテルに固定されるのに適している一対の横方向支持支柱（２、３）を備えることを特徴とする請求項１から４のうちいずれかに記載のドア（１）。
【請求項６】
前記横方向支持支柱（２、３）の対が、少なくとも１つの横木（４）によって頂部で接続されることを特徴とする請求項５に記載のドア（１）。
【請求項７】
垂直案内（５、６）の各対が、前記それぞれの横方向支持支柱（２、３）のそれと実質的に等しい長さを有する少なくとも摺動案内（５）を備えることを特徴とする請求項５または６のうちいずれかに記載のドア（１）。
【請求項８】
垂直案内（５、６）の各対が、平行に延在する前記それぞれの横方向支持支柱（２、３）の半分のそれと実質的に等しい長さを有していてかつ前記横方向支持支柱（２、３）の上半分におおむね対応して前記垂直案内の対の前記他の案内（５）と隣接している少なくとも摺動案内（６）を備えることを特徴とする請求項５から７のうちいずれかに記載のドア（１）。
【請求項９】
各側面支持アーム（１１）が、それぞれの横方向支持支柱（２、３）に頂部で枢支される、それの一端を有することを特徴とする請求項５から８のうちいずれかに記載のドア（１）。
【請求項１０】
前記下部パネル（７）および前記上部パネル（８）が、それぞれの内側フレーム（７ｆ、８ｆ）を有することを特徴とする請求項１から９のうちいずれかに記載のドア（１）。
【請求項１１】
請求項１から１０のうちいずれかに記載のドア（１）であってそれが：
―前記上部パネル（８）が実質的に水平な構成に達するまで、前記上部パネル（８）の下部セクション（８ａ）の付近の前記接続レバー（１３）の前記第１の端部（１５）を一時的に遮断し、かつ
―前記上部パネル（８）が実質的に水平な構成にある時、前記接続レバー（１３）の前記第１の端部（１５）を解放し、これを前記それぞれの側面摺動案内（１０）に沿って自由に摺動するままにしておくのに適している少なくとも安全グループ（２０）を備えることを特徴とするドア。
【請求項１２】
前記安全グループ（２０）が、前記上部パネル（８）の前記下部セクション（８ａ）に対応して支えられる中間ピン（２２）に枢支される釣り合い部材（２１）を備え、かつ、一方が１つの握りつめ（１９）に固定されるピン（１９ａ）と係合するとともに、他方がウェッジ（２５）に固定されるピン（２５ａ）と係合する、２つのスロット（２３、２４）を有することを特徴とする請求項１１に記載のドア（１）。
【請求項１３】
前記握りつめ（１９）および前記ウェッジ（２５）が、同方向によって位置を定められる傾斜平面裏面（１９ｂ、２５ｂ）と同じ構成を有してかつ、前記それぞれの摺動シート（１７）に導く、それぞれのスルーハウジング開口（２６、２７）の内部に摺動して取り付けられ、それで、関連する前記摺動シート（１７）内の前記釣り合い部材（２１）の前記角度方向位置に依存して、前記握りつめ（１９）または前記ウェッジ（２５）のいずれかが突き出ることを特徴とする請求項１２に記載のドア（１）。
【請求項１４】
前記釣り合い部材（２１）が、前記側面支持アーム（１１）の１つに連結するための連結手段（３０）を有することを特徴とする請求項１２または１３に記載のドア（１）。
【請求項１５】
前記連結手段が、それに隣接した前記側面支持アーム（１１）の１つに設けられるそれぞれのタング（３１）と係合するように設計されたフック部分（３０）を備えることを特徴とする請求項１４に記載のドア（１）。
【請求項１６】
前記安全グループ（２０）が、前記摺動シート（１７）内に突き出る前記握りつめ（１９）を保持することに適している少なくとも弾力のある荷重手段（２１ａ）を備えることを特徴とする請求項１３から１５のうちいずれかに記載のドア（１）。
【請求項１７】
前記安全グループ（２０）が、前記上部パネル（８）の前記下部セクション（８ａ）に対応して移動される第１のペンチ（８１）および第２のペンチ（８２）を含み、かつ両方のペンチ（８１、８２）が対向側で前記接続レバー（１３）の前記第１の端部（１５）をつかむように前記摺動シート（１７）内部に取り付けられる係合位置と、少なくとも前記第１のペンチ（８１）が前記第１の端部（１５）を解放するために前記摺動シート（１７）から引き込められる解放位置との間で回転可能であることを特徴とする請求項１１に記載のドア（１）。
【請求項１８】
前記ペンチ（８１、８２）が、関節式の平行四辺形を形成する関節接合接続棒（８４）を用いて一方が他方に連接されることを特徴とする請求項１７に記載のドア（１）。
【請求項１９】
前記解放位置において、前記第２のペンチ（８２）が前記摺動シート（１７）内部に取り付けられたままであることを特徴とする請求項１７または１８に記載のドア（１）。
【請求項２０】
前記安全グループ（２０）が、前記解放位置に前記ペンチ（８１、８２）を保持することに適している少なくとも１つの弾性部材（８５）を備えることを特徴とする請求項１７から１９のうちいずれかに記載のドア（１）。
【請求項２１】
前記安全グループ（２０）が、前記弾性部材（８５）と対照的に前記係合位置に前記ペンチ（８１、８２）の一時的遮断のための停止手段（８８）を備えることを特徴とする請求項２０に記載のドア（１）。
【請求項２２】
それが、前記下部パネルおよび上部パネル（７、８）の動作を制御するための釣り合いおもり手段（３５、３７）を備えることを特徴とする請求項１から２１のうちいずれかに記載のドア（１）。
【請求項２３】
前記釣り合いおもり手段（３５、３７）が、垂直案内（５、６）のそれぞれの対に頂部で回転するよう取り付けられてかつ、その端部の１つに対応して前記下部パネル（７）に、および他端で少なくとも第１の釣り合いおもり（３５）に接続される第１のケーブル（３３）を支持することに適している少なくとも１つの第１のプーリ（３２）を備えることを特徴とする請求項２２に記載のドア（１）。
【請求項２４】
前記釣り合いおもり手段が、少なくとも第２のケーブル（３６）を用いて前記第１の釣り合いおもり（３５）に接続される少なくとも第２の釣り合いおもり（３７）を備えることを特徴とする請求項２３に記載のドア（１）。
【請求項２５】
前記釣り合いおもり手段（３５、３７）が、それぞれの対の垂直案内（５、６）に頂部で回転するように取り付けられてかつ、その端部の１つに対応して、前記上部パネル（８）に、および他端で少なくとも第２の釣り合いおもり（３７）に接続される第２のケーブル（３６）を支持することに適している少なくとも１つの第２のプーリ（７６）を備えることを特徴とする請求項２３に記載のドア（１）。
【請求項２６】
それが、前記連接されてかつ摺動可能な接続手段（１２）と結合されており、かつ前記完全に閉じられた位置と前記完全に開いた位置との間で前記下部パネル（７）および上部パネル（８）の前記動作中に前記接続レバー（１３）の前記動作を案内することに適している少なくとも１つの関節接合グループ（５０）を備えることを特徴とする請求項１から２５のうちいずれかに記載のドア（１）。
【請求項２７】
請求項２６に記載のドア（１）であって、前記関節接合グループ（５０）が：
―それぞれの接続レバー（１３）にその端部（５１ｂ）の１つに対応して、接続される少なくとも１つの棒（５１）；および、
―それの中心部に対応して前記下部パネル（７）に連接されてかつ前記棒（５１）の他端（５１ａ）に連接される第１の端部（５２ａ）および前記第１のケーブル（３３）に接続される第２の末端（５２ｂ）を有する少なくとも１つの接続部材（５２）を備えることを特徴とするドア。
【請求項２８】
前記接続部材（５２）が、実質的にＬ形状を有してかつ前記下部パネル（７）で支えられるピン（５３）を中心に回転するように取り付けられることを特徴とする請求項２７に記載のドア（１）。
【請求項２９】
前記関節接合グループ（５０）が、前記上部パネル（８）と結合される案内経路（５７、５８）に沿って摺動係合される第１の頂点（５６）および前記下部パネル（７）に頂部で連接される第２の頂点（５９）を有する案内レバー（５５）を備えることを特徴とする請求項２６に記載のドア（１）。
【請求項３０】
請求項２９に記載のドア（１）であって、前記案内経路（５７、５８）が：
―前記上部パネル（８）が実質的に水平な構成に達するまで、前記第１の頂点（５６）によって包含されることができる、前記側面摺動案内（１０）に接続される少なくとも曲線のセクション（５７）；
―記上部パネル（８）が実質的に水平な構成にあるとき、前記第１の頂点（５６）によって包含されることができる、前記側面摺動案内（１０）の少なくとも直線のセクション（５８）を備えることを特徴とするドア。
【請求項３１】
それが、前記上部パネル（８）内にまたはそれの上に並進可能であるように取り付けられ、かつ少なくとも１つの弾力のある回復手段（３８ａ）を有する少なくとも１本の棒（３９）、前記ドア（１）の閉鎖段階中に垂直レイアウトで前記上部パネル（８）を配置する時、前記少なくとも１本の棒（３９）を頂部で摺動係合することに適している傾斜平面（４２）を備えた１つの固定されたロケータ、およびそれぞれの棒（３９）によって着脱可能な方法で係合されるように設計された前記下部パネル（７）内に得られるブラインドシート（４１）を備える反不正変更手段（３８）を備えることを特徴とする請求項１から３０のうちいずれかに記載のドア（１）。
【請求項３２】
請求項１から３１のうちいずれかに記載のドア（１）であって、それが：
―前記コンパートメントに向けられる前記パネル（７）および（８）の面に対して相補的構成を有する、前記下部パネル（７）と前記上部パネル（８）との間の、少なくとも１つの横木（７１）、
―サイドプレート（７２）の各々がスロット（７３）を有する、前記上部パネル（８）に横方向に前記横木を支持する少なくとも１つの対の移動可能な前記サイドプレート（７２）、および
―前記上部パネル（８）に横方向に固定されてかつ、使用中に回転軸のまわりのそれの角度方向進行を限定するために前記移動可能なサイドプレート（７２）の各プレートのそれぞれのスロット（７３）内に収容されるのに適した一連のピン（７４ａ、７４ｂ、７４ｃ）を備える安全装置（７０）を備えることを特徴とするドア。
【発明の詳細な説明】
【技術分野】
【０００１】
本発明は、特に自動車庫に適しているセクション式ドアに関する。
【背景技術】
【０００２】
セクション式ドアは、周知のように、一対の同一の摺動案内の内側に摺動取り付けされ、側面で出入り用開口をドアによって閉じられることを意図される１つのコンパートメント（自動車庫）に制限する単一リーフを有する。摺動案内は実質的に逆Ｌ字状の構成を有し、および、各々が、出入り用開口の背後に固定される実質的に垂直な下部セクション、通常天井にもしくはこの種のコンパートメントの側壁に沿って固定される、実質的に水平な、または、水平面に対して傾斜する上部セクションおよび下部セクションと上部セクションとの間の湾曲した接続セクションを有する。各案内の上部セクションは、ドアの高さと実質的に同じである長さを有するセクションによって、コンパートメントの内側の方へ延在する。
【０００３】
セクション式ドアのリーフは、通常、各々コンパートメントへの出入り用開口の幅と等しい幅を備え、１枚が他に連接され、好ましくは、それぞれの端部または横縁部に沿って、ヒンジ結合される複数の実質的に長方形のパネルからなる。この種のパネルはさらに、摺動手段の、例えばアイドルローラの、それぞれの端部または横縁部に対応して、上記の側面摺動案内に摺動させるために有する。
【０００４】
ドアの側面案内の中のリーフの摺動は、上記のコンパートメントへのアクセスを自由にするかまたは妨げるために、部分的に垂直の、湾曲したおよび水平なまたはほとんど摺動案内の内部で上記のパネルの摺動を得ることを可能にする、手動のまたは自動の、任意の適切なタイプの操作手段によって実行される。セクション式ドアは、実際、リーフを占めるパネルがコンパートメントの開放に対応して実質的に垂直面に沿って全て配置される完全に閉じられた位置から、パネルが天井に対応して固定される摺動案内の上部セクションで支えられる完全に開いた位置まで動かされることができる。
【０００５】
セクション式ドアは、既知の自在ドアとは異なり、閉位置と開位置との間のまたはその逆の動作中に出入り用開口の外側に突き出ない。セクション式ドアのこの種の特権には、しかしながら複数の欠点が付いてくる。これらの中で、セクション式ドアの摺動案内の各上部セクションが、わずらわしいおよび見苦しい支持物を用いて天井にまたはコンパートメントの壁に横方向に固定されなければならず、それはさらに、とりわけかなり長い据付けおよび取付け時間を必要とする。また、セクション式ドアは、一旦開けられると、コンパートメント、通常自動車庫または倉庫の天井の相対的に大きな部分に沿って配置されるそれらのリーフを有し、それがこの種のコンパートメントの中で利用可能な空間を減少させる。
【０００６】
したがって、これらが開位置にあるとき、セクション式ドアの全体寸法を減少させることは良いことであることが明らかであるように見える。（特許文献１）は異なるタイプのドアを示し、それのリーフが、一連の垂直案内に沿って垂直に摺動することができる複数のパネルに分割されている。
【０００７】
一旦引き上げられると、パネルは垂直構成と水平構成との間で回転可能な箱に入れられた部材内部で１枚が他のもののそばに配置され、それが、ドアの垂直の全体寸法を減少させるためにコンパートメントの内側の方へ突き出る。
【０００８】
また、この種のドアはしかしながらより単純な、より合理的な、効率的なおよび最も安価な解決策を得るために改良されることができる。
【先行技術文献】
【特許文献】
【０００９】
【特許文献１】英国特許第２９９６０号明細書
【発明の概要】
【発明が解決しようとする課題】
【００１０】
本発明の主目的はしたがって、現状技術によって今までのところ提示されているドアとは異なり、それぞれのコンパートメントの壁へのまたは天井への摺動案内の上部セクションの固着を必要とせず、かつ、従来のセクション式ドアによって必要とされるそれと比較してより少ない時間で据付けるのが容易な、セクション式ドア構造体を提供することである。
【００１１】
本発明の別の目的は、開位置において、現状技術によって今までのところ提示されているセクション式ドアと比較して天井において減少した全体寸法を有するセクション式ドアを提供することである。
【００１２】
更に、本発明の別の目的は、取り扱うのに安全で侵入の企てに耐えるセクション式ドアを提供することである。
【００１３】
さらに、本発明の別の目的は、製造して据付けるのが容易でかつ競争的な製造コストで得られるセクション式ドアを提供することである。
【課題を解決するための手段】
【００１４】
これより先、さらによりよく開示される、上述した目的が、コンパートメントへの、とりわけ自動車庫コンパートメントへの出入り用開口の制御のためのセクション式ドアであって：
−コンパートメントへの出入り用開口のそれぞれのショルダに実質的に平行の方向に延在するのに適している２対の垂直案内を含む固定部；ならびに、
−移動可能な部分であって：
−リーフの幅全体の上に延在しかつそれぞれの側面案内に沿って摺動係合するそれの横方向側面を有する実質的に長方形の形の下部パネルおよび上部周囲パネルを備えるリーフ；ならびに
−各々が、垂直案内のそれぞれの対の頂部に対応して連接されるそれの一端および前記上部パネルのそれぞれの横方向側面の中間ゾーンに対応して枢支されるそれの他端を有する一対の側面支持アーム；を含む移動可能な部分を備え、
前記移動可能な部分がさらに：
−前記上部パネルの横方向側面に対応して設けられる一対の横方向摺動案内、ならびに、各々、前記上部パネルのそれぞれの横方向摺動案内と摺動係合するそれの一端および前記下部パネルに頂部で連接されるそれの第２の端部、を有する一対の接続レバーを含む、前記下部パネルと前記上部パネルとの間に連接されて摺動可能な接続手段を備え、
それによって前記下部および上部パネルが、それらが前記垂直案内の対に沿って順に重ねて実質的に位置合わせされた順序で配置される前記出入り用開口の完全に閉じられた位置と、前記上部パネルが、前記側面支持アームの対で支えられる前記垂直案内の対の頂部に対応したゾーンから始まる前記コンパートメント内に突き出すように張出して動かされ、ならびに、前記下部パネルが前記上部パネルと共におよびそれに対向して動かされる完全に開いた位置との間を移動可能であることを特徴とするセクション式ドアによって達成される。
【図面の簡単な説明】
【００１５】
本発明の他の特性および利点は、単に一例として例示されるが、添付の図面に限定されない、いくつかの好ましい、しかし、唯一でない実施態様の記述からより明白になり、そこにおいて：
【００１６】
【図１】後部から、すなわちドアが閉じることを意図されるコンパートメントの部分から見た本発明に従うセクション式ドアの、わずかに上部からの斜視図である；
【図２】図１内に示されるセクション式ドアの同一面の前面図を例示する；
【図３】本発明に従うドア開放の最初の３つの連続した段階を例示する、図２の追跡面Ａ−Ａに沿っての倍尺での断面図を示す；
【図４】本発明に従うドア開放の最初の３つの連続した段階を例示する、図２の追跡面Ａ−Ａに沿っての倍尺での断面図を示す；
【図５】本発明に従うドア開放の最初の３つの連続した段階を例示する、図２の追跡面Ａ−Ａに沿っての倍尺での断面図を示す；
【図６】図３から５のそれらに続く本発明に従うドア開放の他の３つの連続した段階を例示する、図２の追跡面Ａ−Ａに沿っての倍尺での断面図である；
【図７】図３から５のそれらに続く本発明に従うドア開放の他の３つの連続した段階を例示する、図２の追跡面Ａ−Ａに沿っての倍尺での断面図である；
【図８】図３から５のそれらに続く本発明に従うドア開放の他の３つの連続した段階を例示する、図２の追跡面Ａ−Ａに沿っての倍尺での断面図である；
【図９】図２の追跡面Ｂ−Ｂに沿っての本発明に従うセクション式ドアのいくつかの構成詳細の倍尺での断面図である；
【図１０】図２の追跡面Ｃ−Ｃに沿っての本発明に従うセクション式ドアのいくつかの構成詳細の倍尺での断面図である；
【図１１】開放段階でのドアの構成詳細の追跡面Ｃ−Ｃに沿っての倍尺での断面図を例示する；
【図１２】ドア開放に続く段階での図１１の同じ構成詳細の追跡面Ｃ−Ｃに沿っての倍尺での更なる断面図を示す；
【図１３】本発明に従うドアの反不正変更手段の図２の追跡面Ｄ−Ｄに沿っての断面図である；
【図１４】本発明に従うドアの反不正変更手段の図２の追跡面Ｅ−Ｅに沿っての断面図である；
【図１５】図２の追跡面Ａ−Ａに沿っての、図３内に代表されるドアの除去された部分を伴う断面図を例示する；
【図１６】図２の追跡面Ａ−Ａに沿っての、図６内に代表されるドアの除去された部分を伴う断面図を例示する；
【図１７】図２の追跡面Ａ−Ａに沿っての、図８内に代表されるドアの除去された部分を伴う断面図を例示する；
【図１８】本発明に従うドアの変形の図２の追跡面Ａ−Ａに沿っての倍尺での断面図を示す；
【図１９】本発明に従うドアの変形の図２の追跡面Ａ−Ａに沿っての倍尺での断面図を示す；
【図２０】本発明に従うドアの変形の図２の追跡面Ａ−Ａに沿っての倍尺での断面図を示す；
【図２１】本発明に従うドアの変形の、図２の追跡面Ｃ−Ｃに沿ってのおよび除去された部分を伴う倍尺での断面図を例示する；
【図２２】本発明に従うドアの変形の、図２の追跡面Ｃ−Ｃに沿ってのおよび除去された部分を伴う倍尺での断面図を例示する；
【図２３】本発明に従うドアの変形の、図２の追跡面Ｃ−Ｃに沿ってのおよび除去された部分を伴う倍尺での断面図を例示する；
【図２４】本発明に従うドアの変形の、図２の追跡面Ｃ−Ｃに沿ってのおよび除去された部分を伴う倍尺での断面図を例示する；
【図２５】図２１の構成要素の詳細図を示す；
【図２６】図２１から２４内に示される変形の詳細の不等角投影図を例示する；
【図２７】図２１から２４内に示される変形の構成詳細の不等角投影図を例示する；
【図２８】図２７内に示される構成詳細の側面図を例示する；
【図２９】異なる動作位置での図２７の構成詳細の不等角投影図を例示する；
【図３０】図２９内に示される構成詳細の側面図を例示する；
【図３１】更なる動作位置での図２７の構成詳細の不等角投影図を例示する；
【図３２】図３１内に示される構成詳細の側面図を例示する。
【発明を実施するための形態】
【００１７】
添付の図面に関して、同一のまたは類似した部分または構成要素は同じ参照番号によって記されている。
【００１８】
何よりもまず図１から６を参照して、本発明に従う、コンパートメントへの、特に、自動車庫または倉庫コンパートメントへの、出入り用開口の制御のためのセクション式ドアが、どのように参照番号１によって記され、かつ、上部横木４によって頂部で共に接続され、かつ、それぞれ、コンパートメントへの出入り用開口の主ビームの背後にかつそれに固定されるのに適している一対の横方向支持支柱２、３を含む、フレームまたは固定部からなるかが見られる。
【００１９】
側面案内または垂直案内５、６のそれぞれの対が、任意の適切な方法で、各横向支持支柱２、３に固定される。各垂直案内５（特に図６を参照）は、それぞれの横方向支持支柱２または３のそれとざっと同一の長さを有し、一方、各垂直案内６がそれぞれの垂直案内５の半分のそれとざっと同一の長さを有してかつ垂直案内５に隣接した位置にそれぞれの横方向支持支柱２、３に固定されてかつ隣接する案内５の上半分におおむね対応してコンパートメントの内部部分からこれと平行して延出する。
【００２０】
本発明に従うセクション式ドアはさらに、両方とも実質的に長方形の外形を有してかつリーフの幅全体に沿って延在する使用中にリーフの下部に配置されるパネル７、使用中に上部に配置されるパネル８からなるリーフを含む移動可能な部分を備える。それらの側面に対応して、パネル７および８はそれぞれの垂直案内５、６に沿って摺動係合するはずである。
【００２１】
一般的に、各垂直案内５、６は断面が実質的にＣ形状のプロファイルを有する。一対の垂直案内５、６の凹面が、もう一方の対の方へ向けられる。垂直案内５は、下部パネル７の下部セクション７ａに対応して張出し方法で横方向に突き出るそれぞれのピンによって伝えられるそれぞれの摺動ブロックまたはアイドルローラ９と、使用中に、摺動係合するはずであり、一方、各垂直案内６が、上部パネル８の、閉位置で、下部セクション８ａに対応して張出し方法で突き出るそれぞれのピンによって伝えられるそれぞれの摺動ブロックまたはアイドルローラ９ａ（図１１および１２内に見られる）に対する摺動係合シートとして作用する。
【００２２】
好ましくは、パネル７および８はそれぞれ７ｆおよび８ｆと記される内側フレームを有し、および、上部パネル８のフレームはパネル７の高さに実質的に等しいかまたはわずかにそれより大きい長さを有する一対の側面摺動案内１０を支持する。
【００２３】
上部パネル８は、その中間領域の１つにおよび垂直案内５、６のそれぞれの対のまたは横方向支持支柱２、３（図４）の頂部に対応してそれらの他の連接された端部を有する一対の側面支持アーム１１の端部に対応して、ヒンジ結合軸８ｃに横方向に連接される。
【００２４】
下部パネル７および上部パネル８は、セクション式ドアのための単一リーフを形成するためにどちらかの側面上に１つ、連接された２つの摺動可能な接続手段またはグループ１２を用いて、それらの端部または横縁に対応して、共に連結される。特に、各連接されて摺動可能な接続グループ１２（図６、９および１４）は下部パネル７の上部セクション７ｂを上部パネル８の下部セクション８ａに横方向に接続してかつエルボ構成の接続レバーまたはアーム１３からなる。
【００２５】
各接続レバー１３は、使用中に、上部パネル８のそれぞれの側面摺動案内１０内で境界を決められるそれぞれの摺動シート１７に沿って動作するように設計される、摺動ブロックまたはアイドルローラ１６を有する第１の端部１５を有する。
【００２６】
各接続レバー１３は、さらに、下部パネル７の上部セクション７ｂに対応してピン１３ａに枢支される第２の端部１４を有する。
【００２７】
好ましくは、各連接されて摺動可能な接続グループ１２に対して、弾力のある荷重手段１８、例えば、下部パネル７の上部セクション７ｂと接続レバー１３との間に適切な圧縮ばねが設けられ、それはしたがって、ばね１８によって働かせられる作用に起因してコンパートメントの内側の方へすなわちパネル７から離れる方向に、常に押されたままである。
【００２８】
この種の構成によって、下部パネル７および上部パネル８は、それらが、垂直案内５、６の対に沿って上下に実質的に位置合わせされる順序で配置される出入り用開口の完全に閉鎖された位置と、上部パネル８それ自体が、側面支持アーム１１の対によって支持される垂直案内５、６の対の頂部に対応した領域から始まる自動車庫コンパートメント内に突き出すように動くのを見いだし、ならびに、下部パネル７が上部パネル８と共におよびそれに対向して動かされる完全に開放された位置との間を移動可能である。
【００２９】
特に図３から８を観察することによって、下部パネル７に働かせられるユーザの手動の持ち上げ動作の際に、完全な閉鎖のレイアウト（図３）から始まるパネル７の下部セクション７ａのローラ９がどのように、それぞれの垂直案内５に沿って上方向へ摺動するように押されるかが見られる。これはさらに、上部パネル８の持上げに変換し、それが、パネル７との位置合わせの釣り合いで最初に、かつ止め具、一般的に横木４に対向して頂部で急速に上に支持され、不均衡にされてかつパネル７の上部セクション７ｂ上で（その好ましくは丸い下縁部８ｄに対応して）回転支持でコンパートメントの内側の方へ制御された方法で「落ちる」ようにされ、かつ側面支持アーム１１の関節接合軸８ｃのまわりで往復する。上部パネル８のローラ９ａは垂直案内６に沿って摺動し始め、したがって、それがほぼ水平なレイアウトを取るまで、パネル８の下部セクション８ａは再び上方向へ動くように案内される（図５）。持上げを続けて、接続レバー１３およびローラ１６を用いて上部パネル８の側面摺動案内１０に固定される下部パネル７の上部セクション７ｂが、それがこれに対向しておよびそれの下に束ねられるまで上部パネル８に沿ってそれに平行に動くように押しつけられる（図６から８）。
【００３０】
上部パネル８の実質的に水平なレイアウトが達せられるまで、連接されて摺動可能な接続グループ１２のローラ１６が、各側面摺動案内１０の摺動シート１７内に突き出るそれぞれの着脱可能な握りつめ１９に対向して当接されたままである。特に、各握りつめ１９はいくつかの機能を有するそれぞれの安全グループ２０の一部である。
【００３１】
特に安全グループ２０は：
−上部パネル８が実質的に水平な構成に達するまで、上部パネル８の下部セクション８ａの付近で接続レバー１３の第１端部１５を一時的に遮断するのに、および
−上部パネル８が実質的に水平な構成にある時、接続レバー１３の第１端部１５を解放して、それぞれの側面摺動案内１０に沿ってこれを自由に摺動させるままにしておくのに、適している。
【００３２】
実際は、完全に閉鎖された位置から始まるドア１の開放中に、上部パネル８が実質的に水平である中間位置にドア１が到達するまで、上部パネル８の下部セクション８ａに対応してヒンジ結合される第１の端部１５および下部パネル７の上部セクション７ｂにヒンジ結合される第２の端部１４を有する、接続レバー１３のおかげで、パネル７、８は最初に一方が他方に連接されたままである。
【００３３】
以後、上部パネル８は水平位置に止められたままであり、および、接続レバー１３の第１の端部１５はそれらが完全に開放された位置に到達するまで、側面摺動案内１０に沿って摺動し始める。
【００３４】
２つの安全グループ２０が、ドア１の各側面に対して１つ存在する。
【００３５】
１０から１２までの図内に示される実施態様において、２つの安全グループ２０の各々が、上部パネル８の下部セクション８ａのそれぞれの横縁に対応してフレーム８ｆによって支えられる中間ピン２２に枢支される釣り合い部材２１を備える。それの２つの端部で、釣り合い部材２１は、それぞれのピン１９ａ、２５ａを摺動して収容するように設計された２つのスロット２３、２４を有し、ピン１９ａが握りつめ１９に固定され、一方ピン２５ａがウェッジ２５に固定される。好ましくは、握りつめ１９およびウェッジ２５の両方が、それぞれの摺動シート１７に対して同方向に位置を定められるそれぞれ傾斜平面裏面、１９ｂおよび２５ｂと同じ構成を有する。握りつめ１９およびウェッジ２５は、フレーム８ｆ内に得られ、かつそれぞれの摺動シート１７に導くそれぞれのスルーハウジング開口２６、２７内に摺動取り付けされ、そのため、関連する摺動シート１７内の釣り合い部材２１の角度方向位置に従い、握りつめ１９またはウェッジ２５のどちらかが突き出る。各安全グループ２０は任意選択で弾力のある荷重手段、例えばばね２１ａを有し、それが、握りつめ１９が摺動シート１７内に通常挿入されるような方法で位置を定められる釣り合い部材２１を保持する。各安全グループ２０の釣り合い部材２１はさらに、それに隣接して側面支持アーム１１上に設けられるそれぞれのタング３１と係合するように設計されたフック中間部３０を有する。
【００３６】
ドア１の開放中に、側面支持アーム１１のタング３１がそれぞれの釣り合い部材２１のフック部分３０と係合してかつ握りつめ１９を摺動シート１７内に後退させるかまたは見えなくしてウェッジ２５の同時の退出を引き起こすまで（図１２）、それぞれの摺動シート１７内に取り付けられる各握りつめ１９が、上部パネル８の上部セクション８ｂの方へのそれぞれの連接し摺動可能な接続グループ１２のローラ１６の摺動を防ぐ（図５および１１）。閉鎖動作中に、摺動シート１７に沿ったそれらの逆行のローラ１６が、ウェッジ２５の傾斜平面裏面２５ａと摺動係合し、それはしたがって、握りつめ１９の同時の退出で後退させるために押しつけられ、それの後、ローラ１６が止め具２８、好ましくは弾性ゴムに対向して当接する（図１０）。
【００３７】
本発明に従うセクション式ドアは、好ましくは下部パネル７および上部パネル８の往復運動を制御し、かつ開放−閉鎖動作中にドア１の動作を容易で釣り合いのとれているようにするのに適している釣り合いおもり手段３５、３７を備える。この種の釣り合いおもり手段３５、３７は一対の第１のプーリ３２を備え（特に１５から１７までの図を参照）、各々、頂部でおよび横方向支持支柱２、３の内側上に収容される。第１のプーリ３２は、多少水平なそれらの回転軸を有してそれぞれの第１のケーブル３３が、その端部の１つに対応して、例えば、それぞれの握り耳、例えばピン３４ａに対応して、パネル７のおよびそのフレーム７ｆの中間部内にある、好ましくは複数−位置（図１５−１７）で、下部パネル７に固定されるのを支持するのに適している。第１のケーブル３３の他端は、第１の釣り合いおもり３５に接続される。後者は次に、第２の釣り合いおもり３７に第２のケーブルまたはケーブル３６を用いて接続される。両方の釣り合いおもり３５、３７は、そのように必要とされる場合、この場合、箱に入れられるよう意図されるそれぞれの横方向支持支柱２または３内に、収容される。
【００３８】
第１のケーブル３３の長さは、両方のパネル（下部７および上部８）の高さとざっと等しい。ドア１が閉位置にある時、第１のケーブル３３は両方の釣り合いおもり３５、３７を懸架されたままにしておく（図１５）。両方の釣り合いおもり３５、３７に起因する重量力は、下部パネル７および上部パネル８の両方の制御された持上げに有利に働く。一旦上部パネル８が実質的に水平位置にもたらされ、かつローラ１６が握りつめ１９に対向して当接すると（図１６）、第２の釣り合いおもり３７はその時までに地面に到達し、および、第１の釣り合いおもり３５は第１のケーブル３３上になお懸架されている。第１のケーブル３３は、したがって、下部パネル７上へ第１の釣り合いおもり３５だけに起因する重量力を放出し、それはフック部分３０ならびに安全グループ２０のおよび側面支持アーム１１の連結タング３１が相互に係合するとすぐに、（握りつめ１９がその間に離れて、それぞれの摺動シート１７を自由なままにしておくので）上部パネル８の摺動シート１７に沿って自由に摺動し、そして、行程の終りに移動する、すなわち、それが上部パネル８の上部セクション８ｂに対応して下部パネルの上部セクション７ｂを移動させるまで、また、第１のケーブル３３を通してそれに取り付けられる第１の釣り合いおもり３５の重量力によって押しつけられる。この行程の終り位置で、パネル７は、上部パネル８の下に詰められる地面と平行の位置にそれ自体を見いだし、かつ連接されて摺動可能な接続グループ１２によってかつ第１のケーブル３３によってそこに支えられたままであり、一方、第１の釣り合いおもり３５がまた、完全に落下する（図１７）。好ましくは、２つの釣り合いおもり３５、３７間の第２の接続ケーブル３６が、ナイロンまたは他の類似した材料でできている一対のケーブルを備え、それが、ドア１が全開位置にある時、かつ障害物を作り出すことなく、またはそれ自体を重くする釣り合いおもりの垂直並進動作を妨げることなく、２つの釣り合いおもり３５、３７の間でこの種のケーブルが都合よくゆるむことを可能にする。
【００３９】
その全開位置から始まるドア１の閉鎖段階において、初期の後退摺動および下部パネル７の制御された落下が生成され、このパネルは、したがって上に持ち上がる第１の釣り合いおもり３５によって加えられる力によって減速される。ローラ１６が、握りつめ１９の仕事位置への同時のもどりで摺動シート１７から後退するようにされ、かつ、パネル７の結果として生じる実質的に垂直なレイアウトで止め具２８に対向して当接しないウェッジ２５の後ろの傾斜平面に遭遇するまで、それはしたがって、ざっと垂直位置に徐々に移動する。パネル８がまた、下部パネル７より上に実質的に垂直位置を占めることができるように、ローラ１６によるウェッジ２５の持上げは、側面支持アーム１１のそれぞれのタング３１による安全グループ２０のフック部分３０の解放を引き起こす（図１５）。
【００４０】
ドア１が完全に閉じられた位置にある時、本発明に従うドア１は好ましくは上部パネル８と下部パネル７の間で始められるはずの反不正変更手段３８（図１３および１４）を備える。この種の反不正変更手段は、例えば、上部パネル８の高さよりわずかに大きな長さを備えた、鋼の、１本以上の実質的に硬い棒３９を備え、それが、上部パネル８内にまたはその上に、例えばそれぞれの内側スルーハウジングシート４０内に、垂直に並進可能に取り付けられる。この種の内側スルーシート４０ａに対応してそれぞれのブラインドシート４１が、下部パネル７の上部セクション７ｂ内に設けられ、それは、ドア１が閉位置にある時、それぞれの硬い棒３９の下端を収容するはずである。このために、ドア１の閉鎖段階中に垂直レイアウトに上部パネル８を配置する時、上部横木４はそれぞれの硬い棒または１本の硬い棒３９のヘッドを摺動係合するように設計された傾斜平面４２によって、固定されたロケータを支持する。
【００４１】
硬い棒３９は、実際、各々、上部パネル８の全体寸法の範囲内で通常引き込められるそれらの下部端部３９ａおよび、例えば、棒突出部に対向して当接する一端および棒それ自体に対するガイドブシュ３８ｂのような固定部に対向して当接する他端を有するコイルばね３８ａのような（図１４）、弾力のある回復手段の存在のおかげでドア１の全ての中間開閉段階中にパネル８から突き出るそれらの上部端部３９ｂを有する。
【００４２】
ドア１の完全な閉鎖の終了の段階において、下部パネル７内に収容される硬い棒または複数の硬い棒３９はそれら自体、それらの上部端部３９ｂが傾斜平面４２によって固定されたロケータと接触し、かつそれらの下部端部３９ａが下部パネル７内のそれぞれのシート４１に着脱自在に取り付けられるまで上部パネル８内で並進するそれぞれのばね３８ａの抵抗を克服するように強いられるのを見いだす。
【００４３】
反不正変更手段３８はさらに、例えば２枚のパネルのうち１枚がわずかにカーブして製造されるかまたは時間の経過によってカーブする時、本発明に従うドア１の下部パネル７および上部パネル８をお互いに位置合わせしたままにするのを助ける更なる機能を実行する。
【００４４】
上記したセクション式ドアは、請求項によって規定される保護の範囲内で数多くの変更および変形を受けやすい。
【００４５】
従って、例えば各連接されて摺動可能な接続手段１２の接続レバー１３の動作が、本発明に従うドア１の全開位置と完全に閉じられた位置の間の中間段階中に、連接されて摺動可能な接続手段１２と結合される関節接合グループ５０を用いて弾力のある荷重手段１８と交互にまたは共同で制御されることができる。
【００４６】
ドア１の各側面に対して１つの、２つの関節接合グループ５０があり、ならびに、それらは、完全に閉じられた位置と完全に開いた位置との間の、およびその逆のパネル７、８の動作中に接続レバー１３のおよびパネル７、８の動作を案内するのに適している。
【００４７】
各関節接合グループ５０は、それぞれの連接されて摺動可能な接続手段１２とそれぞれの第１のケーブル３３との間に配置される。
【００４８】
特に、各関節接合グループ５０はレバーそれ自体の第２の端部１４に対応して設けられる目的のためのそのタング部分１３ｂの１つに対応して、接続レバー１３に枢支されるその端部５１ｂの１つを有する棒５１からなる。
【００４９】
その他の端部５１ａに対応した棒５１は、好ましくは、実質的にＬ形状を有する、接続部材５２に枢支され、および次に、それがそれと一体的である下部パネル７の布設面に実質的に水平で平行なピン５３に、そのエルボ部分に対応して、枢支される。好ましくは、ピン５３は延伸してかつ、下部パネル７のまたはそれのフレーム７ｆの内側面に対応して、例えばねじを用いて固定される、一対の平行プレート５４の間に支持される。接続部材５２の他の端部５２ｂは、第１のケーブル３３に対する接続ピン３４ａを有する。接続部材５２は任意選択で、使用中にピン５３のまわりの部材それ自体の角度方向進行を制限するのに適した下部タング５２ｃ（図１９を参照）を有する。
【００５０】
この種の構成によって、ピン５３のまわりの接続部材５２の生じている角度方向進行の際に、下部パネル７の面に沿って実質的に並進動作を実行するようになされる棒５１の動作が生じる。棒５１のこの動作はピン１３ａのまわりの接続レバー１３の角度方向進行を引き起こし、それはしたがって、接続部材５２の角度方向進行によってとられる方向に従い、パネル７の方へまたは離れる方向に押される。
【００５１】
接続部材５２の角度方向動作は、次に、ドア１の開放−閉鎖段階中に下部パネル７によってとられる位置に依存する。ドア１の開放段階中に実際、地面に対する下部パネル７の持上げが、これが固定されるパネルの面それ自体に対して第１のケーブル３３のレイアウトの変化を引き起こす。パネル７の面に対してそのレイアウトを変えることによって、第１のケーブル３３が、下部パネル７、そして、ピン５３のまわりの部材５２の角度方向進行により近くにまたはそれから離れて接続部材５２の端部５２ｂが移動するようにさせる。
【００５２】
特に、ドア１の開放中に、第１のケーブル３３がＬ字状の接続部材５２の端部５２ｂを引っ張り、これをパネル７により近くに強いて、したがって、全開位置で、それが支持するのを助ける下部パネル７に実質的に平行であることをそれ自体が見いだす、接続レバー１３の対応する角度方向動作を引き起こす。
【００５３】
全開位置から始まるドア１の閉鎖のために、実質的に垂直位置への上部パネル８の下のその実質的に水平位置からの下部パネル７の逆方向動作が、パネルそれ自体に対して第１のケーブル３３のレイアウトの変化、そして、下部パネル７から離れるＬ字状の接続部材５２の端部５２ｂの徐々の移動を引き起こす。接続部材５２はしたがって、部材５２の他の端部５２ａが下部パネル７の頂部の方へ押されてかつ棒５１の上方への並進を引き起こすように、ピン５３のまわりの角度方向進行を実行するように強いられる。下部パネル７の上部セクション７ｂに向けた棒５１の並進は、ピン１３ａのまわりの接続レバー１３の回転およびこれのパネル７から離れる結果として生じる移動を引き起こす。接続レバー１３は、したがって、コンパートメントの方へ押されてかつドア１の開放と容易に共同することが可能であるように正確に配置される。
【００５４】
２１から２４までの図内に示される本発明の変形によれば、各関節接合グループ５０は上部パネル８と結合される案内経路５７、５８に沿って摺動係合される第１の頂点５６および下部パネル７に頂部で連接される第２の頂点５９を有する案内レバー５５を備える。
【００５５】
更に詳細に、各第１の頂点５６は、使用中に案内経路５７、５８に沿った摺動に適した摺動ブロックまたはアイドルローラ６０を有する。
【００５６】
第２の頂点５９は、その代わりに下部パネル７の上部セクション７ｂに対応して枢支される。
【００５７】
有効に、案内経路５７、５８は：
−上部パネル８の側面摺動案内１０に接続され、かつ、上部パネル８が実質的に水平な構成に達するまで第１の頂点５６によって包含されることができる、曲線のセクション５７；および、
−上部パネル８が実質的に水平な構成にある時、第１の頂点５６によって包含されることができる側面摺動案内１０の直線のセクション５８、に分割される。
【００５８】
図２５の詳細図から分かるように、さらに、各案内レバー５５が案内溝６１を有し、対応する接続レバー１３と結合される継手ピン６２が摺動方法でそれに嵌入される。
【００５９】
案内溝６１および継手ピン６２を用いて、接続レバー１３および案内レバー５５が、ドア１の持上げ／下げ中に案内溝６１に沿って移動する（継手ピン６２によって規定される）回転軸のまわりに、一方を他方に対して回転させることができる。
【００６０】
関節接合グループ５０のこの種の構成によって、本発明に従うセクション式ドアの動作は、かなり安定していてかつ円滑である。
【００６１】
特に、案内レバー５５の不在で、下部パネル７、上部パネル８および接続レバー１３からなる機械系が２つの自由度を有するように見える；案内レバー５５の導入のおかげで、その代わりに、系は１つの自由度を失い、上部パネル８に対する接続レバー１３の相対位置は、下部パネル７によって占められる任意の位置に対して一義的に決定され、およびその逆も同じである。
【００６２】
特に、完全に閉じられた位置（図２１）で、第１の頂点５６が案内経路５７、５８の曲線のセクション５７に沿って取り付けられる一方、接続レバー１３の第１端部１５が上部パネル８の下部セクション８ａに対応して安全グループ２０によって遮断される。
【００６３】
下部パネル７の持上げおよび実質的に水平位置に移動し始める上部パネル８の角度方向進行によって、ドア１の開放動作が始まる時、図２２を参照、第１の頂点５６が曲線のセクション５７を包含する一方、第１の端部１５は安全グループ２０によって遮断されたままである；接続レバー１３はしたがって、下部パネル７に対してそれらの角度を変えず、上部パネル８が実質的に水平である中間位置が到達される（図２３）まで、したがって、より円滑な下部パネル７の上方への動作を保持する。
【００６４】
この時、接続レバー１３の摺動ブロックまたはローラ１６はそれら自体を自由にしてかつ側面摺動案内１０の直線のセクションに沿って摺動する案内レバー５５の摺動ブロックまたはローラ６０と共にパネル８の部分８ｂの方へ摺動することができる（図２４）。
【００６５】
完全に開いた位置が到達されるまで、この種の摺動は下部パネル７の方への接続レバー１３のおよび案内レバー５５の角度方向動作を決定し、そこにおいて、接続レバー１３および案内レバー５５は下部パネル７に実質的に平行にそれら自体を配置することによって終わる。
【００６６】
完全に開いた位置から始めて、ドア１の完全な閉鎖動作は鏡面反射法で実行される。
【００６７】
２１から２４までの図内に示される変形は、下部パネル７および上部パネル８が、凹面構成コンパートメントの方へ向けられるそれらのそれぞれの面を備えたより薄い隣接するセクション７ｂ、８ａを有し、かつ、使用中に、以下に記載する安全装置７０上で、ドア１の開放−閉鎖中に、接触によって摺動するので、以前に例示された実施態様とも異なる。
【００６８】
安全装置７０は、パネル７および８の凹面に対して相補的凸面構成を有する下部パネル７と上部パネル８との間の横木７１を備える。この種の横木は、一対の移動可能なサイドプレート７２を用いて上部パネル８で横方向に支えられる。移動可能なサイドプレート７２は、実際、（ドア１が完全に閉じられた位置にある時）、上部パネル８にまたは内側フレーム８ｆに横方向に設けられる一連の固定されたピン７４ａ、７４ｂ、７４ｃのためのハウジングシートとして作用する、接続レバー１３のローラ１６の回転軸のまわりに引き延ばされた構成を備えたスロット７３を有する。この種の構成によって、移動可能なサイドプレート７２の対の各プレートは上述した回転軸のまわりに角度方向方法で移動することが可能であり、および、固定されたピン７４ａ、７４ｂ、７４ｃの位置は本発明に従うセクション式ドアの開放−閉鎖中にその角度方向進行を限定するようなものである。
【００６９】
すでに言われたように、横木７１ならびに下部パネル７および上部パネル８の内側面が、隣接する縁部に対応して、少なくとも、ドア１が上部パネル８とともに実質的に水平位置になるまで、ドア１の開放−閉鎖中に互いに摺り接触になるように寸法を規定する。この種の位置では、実際、下部パネル７の動作を可能にするために、後者の縁部が横木７１から取り外され、および、下部パネル７はしたがって、上部パネル８の側面摺動案内１０に沿って自由に摺動する。
【００７０】
ドア１の閉鎖中に、しかしながら、下部パネル７が垂直に下方へ並進し始める（図２３を参照）とまさにすぐに、横木７１との摺り接触が再確立される。
【００７１】
この種の構成によって、下部パネル７と上部パネル８との間の隙間は常に近づきにくいままであり、およびこれは、例えば、ドア１の閉鎖中に人の手が押しつぶされたままになるのを防ぐ。
【００７２】
釣り合いおもり手段３５、３７の変形が、２１から２４までの図の実施態様内にまた示される。
【００７３】
また、図２６内に見られることができるように、第２の釣り合いおもり３７を支持する第２のケーブル３６は１５から１７までの図内に示されるように第１の釣り合いおもり３５と結合されてはいない。
【００７４】
ドア１の各側面に対して、実際、釣り合いおもり手段３５、３７はそれぞれの対の垂直案内５、６に頂部で回転するように取り付けられてかつ第２のケーブル３６を支持することに適している第２のプーリ７６を備える。
【００７５】
第２のケーブル３６の一端は第２の釣り合いおもり３７に接続される一方、他端が上部パネル８に接続される；より正確に言うと、他端は垂直案内６に沿って摺動し、かつ推力レバー７９ｂを用いて上部パネル８に接続される小さなホイールまたは摺動部７９ａに接続される。
【００７６】
有利には、さらに、釣り合いおもり３５、３７は、それらが、一方を他方に対して垂直に摺動するが、水平にお互いに離れないことを可能にする、プリズム連結手段７７、７８の介入によって相互に連合する。ドア１が完全に閉じられた位置（図２１）にある時、ケーブル３３、３６は釣り合いおもり３５、３７を懸架されるままにしておき、および、それらの重量力はそれぞれ下部パネル７におよび上部パネル８に放出して、制御された持上げに有利に働く。
【００７７】
一旦上部パネル８が実質的に水平位置（図２３）に移動すると、第２の釣り合いおもり３７が地面に到達してかつ実質的に水平位置のままである上部パネル８に作用するのを止める。全開位置が到達され、そこにおいて、それも結局地面に休止することになるまで、第１の釣り合いおもり３５はその代わりに第１のケーブル３３上になお懸架されてかつその動作で補助する下部パネル７上にその重量を放出し続ける。
【００７８】
２１から２４までの図内に示されるドア１の実施態様はまた、安全グループ２０の変形を有する。
【００７９】
図２６および、更に詳細に、２７から３２までの図で分かるように、各安全グループ２０は、摺動シート１７の近傍に、上部パネル８の下部セクション８ａに対応して移動されるブロック８０を含む。
【００８０】
第１のペンチ８１および第２のペンチ８２が、ブロック８０上に取り付けられ、それが、両方のペンチ８１、８２がその摺動を防ぐために対向側面上で接続レバー１３の第１端部１５のローラ１６をつかむように摺動シート１７内部に取り付けられる係合位置と、少なくとも、第１のペンチ８１が摺動シート１７から引き込められ、および、第１の端部１５が解放されて自由に摺動する解放位置との間で上部パネル８に直角に回転軸８３の回りに回転可能である。
【００８１】
ペンチ８１、８２は、関節接合接続棒８４を用いて一方を他方と連接されて関節式の平行四辺形を形成する；ペンチ８１、８２の一方の回転は、したがって、また、他方のペンチ８１、８２の回転を決定する。
【００８２】
ペンチ８１、８２と、結合される弾性部材８５は、解放位置にペンチ８１、８２を保持することに適している。
【００８３】
この種の弾性部材８５は、第１のラング８６にブロック８０と結合され、第２のラング８７に関節接合接続棒８４と結合されることを強要する対向端部を備えた、ねじりばねから成る。
【００８４】
各安全グループ２０は、弾性部材８５によって働かせられる力と対照的に係合位置でのペンチ８１、８２の一時的遮断のための停止手段８８を備える。
【００８５】
停止手段８８は第１のペンチ８１上に得られる遮断穴８９を備え、および、係合位置で、遮断バー９０がその中に嵌入されることができる。
【００８６】
遮断バー９０は、側面摺動案内１０と平行の方向に沿ってブロック８０内部で摺動しており、かつ、補助バー９２が遮断バー９０と一体になるのを強要する第１の推力ピン９１のおかげで第１のペンチ８１の方へ押されたままにしておかれる。
【００８７】
補助バー９２は上部パネル８から突き出る第１のホイール９３内へ終わってかつ横方向支持支柱２、３の頂部で固定される第１のランプ９４と係合するはずである。
【００８８】
補助バー９２の動作は、側面摺動案内１０と平行の方向に沿って摺動方法でブロック８０に取り付けられる補助棒９５によって補助されてかつ、第２の推力ばね９６のおかげで、補助バー９２と一致した方向に押されたままである。
【００８９】
補助棒９５は第１のホイール９３の付近に配置されてかつこれも横方向支持支柱２、３の頂部で固定される、第２のランプ９８と係合するはずである第２のホイール９７を支持する。
【００９０】
第１のランプ９４および第２のランプ９８は、垂直案内５、６に対して同方向で位置を定められる傾斜平面裏面と同じ構成を有する。
【００９１】
第２のランプ９８は、さらに、第２のホイール９７が安定バランスで適合されることができる手洗器状の部分９９を有する。
【００９２】
ドア１の完全に閉じられた位置では、上部パネル８およびブロック８０が、それらが止められることを確実にするために、係合位置のペンチ８１、８２および遮断穴８９内に挿入される遮断バー９０と共に、実質的に垂直に配置される。この構成において、接続レバー１３のローラ１６がペンチ８１、８２によって遮断されてかつ側面摺動案内１０に沿って摺動することができない。
【００９３】
ドア１が徐々に開くにつれて、各安全グループ２０のブロック８０は上部パネル８の下部セクション８ａと共に上方向へ戻ってかつ横方向支持支柱２、３の頂部に取り付けられるランプ９４、９８に接近する。
【００９４】
上部パネル８が実質的に水平な構成に達すると第２のホイール９７は第２のランプ９８と接触する（図２７および２８）。
【００９５】
上部パネル８の続いて起こる上昇がさらに第１のホイール９３のそれぞれのランプ９４との係合を引き起こすまで、ペンチ８１、８２は、それにもかかわらず、係合位置のままである（図２９および３０）。
【００９６】
この構成では、第１のホイール９３は第１のペンチ８１から離れる方向に補助バー９２および遮断バー９０を移動して、遮断バー９０を遮断穴８９から出てくるようにさせる。
【００９７】
弾性部材８５の効果によって、したがって、ペンチ８１、８２は回転軸８３のまわりで向きを変えてかつ係合位置から解放位置に切替わり、ローラ１６を解放し、それがしたがって、摺動シート１７に沿って摺動することができる。
【００９８】
一旦ローラ１６が解放されると、第２の推力ばね９６によって働かせられる力は、第２のホイール９７に、手洗器状の部分９９まで第２のランプ９８上のその後方回転を決定するよう強要する（図３１および３２）。
【００９９】
この位置において、第１のホイール９３は第１のランプ９４から離れて移動し、および、第１の推力ばね９１は、遮断バー９０が第１のペンチ８１に休止するよう上に押される待機位置に、補助バー９２のおよび遮断バー９０の摺動を決定する。
【０１００】
ドア１が開いたままである限り、この種の待機位置は残る。
【０１０１】
有効に、第２の解放位置では、第２のペンチ８２は摺動シート１７内に挿入されたままである。
【０１０２】
ドア１の閉鎖中に、摺動シート１７内に挿入されたままであった第２のペンチ８２と、それが接触するまで、下部パネル７を下げることでローラ１６を安全グループ２０により近づける。
【０１０３】
ローラ１６の推力の下で、第２のペンチ８２は対応する回転軸８３のまわりで向きを変えてかつ、関節接合接続棒８４のおかげでまた、第１のペンチ８１の回転を決定する。
【０１０４】
両方のペンチ８１、８２は、したがって、係合位置に戻ってローラ１６の摺動を遮断する。
【０１０５】
この位置において、遮断穴８９は、第１の推力ばね９１の圧力に従って、それの遮断を決定する第１のペンチ８１内に取り付ける遮断バー９０と、それ自体再び位置合わせする。
【符号の説明】
【０１０６】
１  セクション式ドア
２、３  横方向支持支柱
４  上部横木
５、６  垂直案内
７  下部パネル
７ａ  下部セクション
７ｂ  上部セクション
８  上部パネル
８ａ  下部セクション
８ｂ  上部セクション
８ｃ  ヒンジ結合軸
８ｄ  丸い下縁部
７ｆ、８ｆ  内側フレーム
９  ローラ
９ａ  アイドルローラ
１０  側面摺動案内
１１  側面支持アーム
１２  連接されて摺動可能な接続グループ
１３  接続レバー
１３ａ  ピン
１３ｂ  タング部分
１４  第２の端部
１５  第１の端部
１６  摺動ブロックまたはアイドルローラ
１７  摺動シート
１８  弾力のある荷重手段  ばね
１９  握りつめ
１９ａ  ピン
１９ｂ  傾斜平面
２０  安全グループ
２１  釣り合い部材
２１ａ  ばね
２２  中間ピン
２３、２４  スロット
２５  ウェッジ
２５ａ  ピン  傾斜平面裏面
２５ｂ  傾斜平面
２６、２７  スルーハウジング開口
２８  止め具
３０  フック中間部
３１  タング
３２  第１のプーリ
３３  第１のケーブル
３４ａ  ピン
３５  第１の釣り合いおもり
３６  第２のケーブル
３７  第２の釣り合いおもり
３８  反不正変更手段
３８ａ  コイルばね
３８ｂ  ガイドブシュ
３９  硬い棒
３９ａ  下部端部
３９ｂ  上部端部
４０、４０ａ  内側スルーハウジングシート
４１  ブラインドシート
４２  傾斜平面
５０  関節接合グループ
５１  棒
５１ａ、５１ｂ  棒端部
５２  接続部材
５２ａ、５２ｂ  部材５２の端部
５２ｃ  下部タング
５３  ピン
５４  平行プレート
５５  案内レバー
５６  第１の頂点
５７、５８  案内経路
５９  第２の頂点
６０  摺動ブロックまたはアイドルローラ
６１  案内溝
６２  継手ピン
７０  安全装置
７１  横木
７２  サイドプレート
７３  スロット
７４ａ、７４ｂ、７４ｃ  ピン
７６  第２のプーリ
７７、７８  プリズム連結手段
７９ａ  小さなホイールまたは摺動部
７９ｂ  推力レバー
８０  ブロック
８１  第１のペンチ
８２  第２のペンチ
８３  回転軸
８４  関節接合接続棒
８５  弾性部材
８６  第１のラング
８７  第２のラング
８８  停止手段
８９  遮断穴
９０  遮断バー
９１  第１の推力ピン  第１の推力ばね
９２  補助バー
９３  第１のホイール
９４  第１のランプ
９５  補助棒
９６  第２の推力ばね
９７  第２のホイール
９８  第２のランプ
９９  手洗器状の部分
【図１】
2014510208.tif 000003
【図２】
2014510208.tif 000004
【図３】
2014510208.tif 000005
【図４】
2014510208.tif 000006
【図５】
2014510208.tif 000007
【図６】
2014510208.tif 000008
【図７】
2014510208.tif 000009
【図８】
2014510208.tif 000010
【図９】
2014510208.tif 000011
【図１０】
2014510208.tif 000012
【図１１】
2014510208.tif 000013
【図１２】
2014510208.tif 000014
【図１３】
2014510208.tif 000015
【図１４】
2014510208.tif 000016
【図１５】
2014510208.tif 000017
【図１６】
2014510208.tif 000018
【図１７】
2014510208.tif 000019
【図１８】
2014510208.tif 000020
【図１９】
2014510208.tif 000021
【図２０】
2014510208.tif 000022
【図２１】
2014510208.tif 000023
【図２２】
2014510208.tif 000024
【図２３】
2014510208.tif 000025
【図２４】
2014510208.tif 000026
【図２５】
2014510208.tif 000027
【図２６】
2014510208.tif 000028
【図２７】
2014510208.tif 000029
【図２８】
2014510208.tif 000030
【図２９】
2014510208.tif 000031
【図３０】
2014510208.tif 000032
【図３１】
2014510208.tif 000033
【図３２】
2014510208.tif 000034
【国際調査報告】
2014510208.tif 000035
2014510208.tif 000036